(57)【要約】【課題】連続予告演出を実行する場合に、連続予告演出の実行中の制御負担を増大させることなく、演出効果を向上させる。【解決手段】予告設定処理において、ＣＰＵは、実行回数カウンタのカウント値が連続予告演出の実行中であることを示す値であれば、その連続予告の予告対象の可変表示の表示結果が大当りとなるか否か確認する。予告対象となっている可変表示がはずれとなる場合には、実行回数を増やすか否か判定する。始動入賞時に抽出された大当り判定用乱数値が大当り判定値と一致するか否かを判定し、一致していると判定した場合には、一致していないときと比較して高確率で実行回数を増やすことに決定する。実行回数を増やした結果、予告対象の可変表示が大当りとなることとなった場合、その後に実行回数を増やすか否かの判定が実行されないように予告結果判定フラグをセットする。【選択図】  図４
2004350851.tif 000002
【特許請求の範囲】
【請求項１】
各々を識別可能な複数種類の識別情報を可変表示可能な可変表示手段を備え、あらかじめ定められている可変表示の実行条件が成立した後、可変表示の開始条件の成立にもとづいて前記可変表示の実行条件が成立した順番に従って複数種類の識別情報の可変表示を開始し、当該複数種類の識別情報の可変表示の表示結果が特定表示結果となったときに遊技者にとって有利な特定遊技状態に制御可能となる遊技機であって、
所定の数値範囲内で数値データを更新する数値データ更新手段と、
前記実行条件の成立時に、前記数値データ更新手段から数値データを抽出する数値データ抽出手段と、
前記実行条件が成立した後、未だ前記開始条件の成立していない実行条件の成立時に抽出された数値データを記憶順番を特定可能に記憶する保留記憶手段と、
前記実行条件が成立したときに、当該実行条件の成立時に抽出された数値データが所定の判定値データと一致するか否かを判定する事前判定処理を実行する事前判定手段と、
前記事前判定手段の判定結果にもとづいて、一致すると判定された数値データが抽出される起因となった実行条件にもとづく可変表示の表示結果が導出表示される前に所定の予告演出を実行するか否かを決定する予告決定手段と、
前記予告決定手段により所定の予告演出を実行することが決定されたときに、前記所定の予告演出の実行回数を決定する実行回数決定手段と、
前記実行回数決定手段が決定した実行回数分の可変表示において所定の予告演出を実行する予告演出実行手段とを備え、
前記実行回数決定手段は、
所定の予告演出が実行される可変表示の表示結果が導出表示される前に新たに実行条件が成立したときに、当該実行条件の成立時に抽出された数値データが所定の判定値データと一致するか否かを判定する予告時判定処理を実行する予告時判定手段と、
当該予告時判定手段の判定結果にもとづいて実行回数を増加するか否かを決定する決定処理を実行する決定手段と、
当該決定手段によって増加すると決定されたときに前記実行回数の残り回数を増加させる増加制御を実行する回数増加手段と、
前記回数増加手段が前記増加制御を実行する起因となった実行条件の成立時に抽出された数値データが、所定の判定値データと一致する数値データであったときには、当該数値データが抽出される起因となった実行条件以降の実行条件の成立にもとづく前記決定処理の実行を禁止する増加決定禁止手段とを含む
ことを特徴とする遊技機。
【請求項２】
増加決定禁止手段は、予告決定手段により予告演出を実行するとの決定がされる起因となった事前判定手段の判定結果が数値データが所定の判定値データと一致するとの判定結果であったときには、回数増加手段による実行回数を増加するか否かの決定処理の実行を禁止する
請求項１記載の遊技機。
【請求項３】
回数増加手段は、増加制御を実行するときに、当該増加制御を実行する起因となった実行条件の成立時に抽出された数値データが保留記憶手段に記憶された記憶順番に応じて増加する実行回数を決定する
請求項１または請求項２記載の遊技機。
【請求項４】
可変表示の開始条件が成立したときに、当該開始条件が成立したことにもとづいて開始される可変表示の表示結果を特定表示結果とするか否かを決定する開始条件成立時決定手段を備え、
予告演出実行手段は、前記開始条件成立時決定手段により特定表示結果とすることが決定されたときには、実行回数が残っていても予告演出の実行を終了させる
請求項１から請求項３のうちのいずれかに記載の遊技機。
【請求項５】
可変表示の開始条件が成立したときに、当該開始条件が成立した実行条件の成立時に抽出された数値データが所定の判定値データと一致するか否かの判定を行い、該判定の結果にもとづいて当該開始条件が成立した可変表示の表示結果を特定表示結果とするか否かを決定する開始時決定処理を実行する開始条件成立時決定手段を備え、
前記開始時決定処理は、事前判定処理と共通のサブルーチンプログラムを呼び出すことにより数値データが所定の判定値データと一致するか否かの判定を行う
請求項１から請求項４のうちのいずれかに記載の遊技機。
【請求項６】
可変表示の開始条件が成立したときに、当該開始条件が成立した実行条件の成立時に抽出された数値データが所定の判定値データと一致するか否かの判定を行い、該判定の結果にもとづいて当該開始条件が成立した可変表示の表示結果を特定表示結果とするか否かを決定する開始時決定処理を実行する開始条件成立時決定手段を備え、
前記開始時決定処理は、予告時判定処理と共通のサブルーチンプログラムを呼び出すことにより数値データが所定の判定値データと一致するか否かの判定を行う
請求項１から請求項５のうちのいずれかに記載の遊技機。
【発明の詳細な説明】
【０００１】
【発明の属する技術分野】
本発明は、各々を識別可能な識別情報を可変表示可能な可変表示手段を備え、あらかじめ定められている可変表示の実行条件が成立した後、可変表示の開始条件の成立にもとづいて識別情報の可変表示を開始し、当該識別情報の可変表示の表示結果が特定表示結果となった場合に遊技者にとって有利な特定遊技状態に制御可能となるパチンコ機等の遊技機に関する。
【０００２】
【従来の技術】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、識別情報を可変表示可能な可変表示手段が設けられ、当該識別情報の可変表示の表示結果が特定の表示結果となった場合に遊技者にとって有利な特定遊技状態に制御可能となるように構成されたものがある。
【０００３】
特定遊技状態とは、所定の遊技価値が付与された遊技者にとって有利な状態を意味する。具体的には、特定遊技状態は、例えば可変入賞球装置の状態が打球が入賞しやすい遊技者にとって有利な状態（大当り遊技状態）、遊技者にとって有利な状態となるための権利が発生した状態、景品遊技媒体払出の条件が成立しやすくなる状態などの、所定の遊技価値が付与された状態である。
【０００４】
パチンコ遊技機では、特別図柄（識別情報）を表示する可変表示手段の表示結果があらかじめ定められた特定の表示態様の組合せとなることを、通常、「大当り」という。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９．５秒）が決められ、入賞数が所定個に達しなくても開放時間が経過すると大入賞口は閉成する。また、大入賞口が閉成した時点で所定の条件（例えば、大入賞口内に設けられているＶゾーンへの入賞）が成立していない場合には、大当り遊技状態は終了する。
【０００５】
また、可変表示手段において最終停止図柄（例えば左右中図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。リーチ状態において、変動パターンを通常状態における変動パターンとは異なるパターンにすることによって、遊技の興趣が高められている。そして、可変表示手段に可変表示される図柄の表示結果がリーチ状態となる条件を満たさない場合には「はずれ」となり、可変表示状態は終了する。遊技者は、大当りをいかにして発生させるかを楽しみつつ遊技を行う。
【０００６】
このような遊技機には、可変表示手段においてリーチ態様や大当り態様が表示される旨を事前に報知するいわゆる予告機能を備えたものがある。予告機能にもとづく予告演出は、例えば、最終停止図柄が確定する以前の段階で、特別図柄の可変表示態様や背景画像が変化したり、所定のキャラクタが登場したり変化したり、遊技機に設けられているランプ・ＬＥＤ等の発光手段を明滅させたり、遊技機に設けられているスピーカ等の音出力手段から音声や効果音を出力することによって行われる。
【０００７】
また、上記のような遊技機において、大当りとなるまでの複数回の可変表示に亘って連続的に所定の演出を行うことで大当り態様が表示される旨を事前に報知するいわゆる連続予告を行うものがある。例えば、予告の対象となる可変表示が実行されるまでの可変表示回数が、連続予告の実行回数としてあらかじめ決定される。そして、決定された実行回数の可変表示に亘って連続的に所定の演出が実行される。
【０００８】
連続予告を行う遊技機には、連続予告演出と遊技の進行状態との整合をとるために、連続予告演出の途中で大当りが発生したときに、決定されている実行回数の可変表示が未だ完了していなくても連続予告演出を終了させるものがある。さらに、そのような遊技機には、連続予告演出の実行中に始動入賞が発生すると、実行回数を増加するか否かの判定を行い、その判定結果に従って実行回数を増加させるものがある（例えば、特許文献１参照）。このような遊技機によれば、連続予告をいわゆるガセ予告（大当りとはならないにもかかわらず実行される大当りとなる旨の予告）として実行しているときには、連続予告の実行回数が延長させることになり、演出効果が高められる。
【０００９】
【特許文献１】
特開２００２−３５５４００号公報
【００１０】
【発明が解決しようとする課題】
特許文献１に記載されている遊技機では、連続予告演出の実行中は、始動入賞が発生する毎に常に実行回数を増加するか否かの判定を行うようにしている。連続予告演出がガセ予告でない大当り予告である場合には、たとえ連続予告の実行回数が増加されても、大当りの発生により連続予告演出が終了されるため、実行回数を増加させるための処理は無駄なものとなっていた。このように、特許文献１に記載されている遊技機には、結果として無駄となる処理の実行によって、連続予告演出の実行中の制御負担が増大しているという課題があった。
【００１１】
そこで、本発明は、連続予告演出を実行する場合に、連続予告演出の実行中の制御負担を増大させることなく、演出効果を向上させることができる遊技機を提供することを目的とする。
【００１２】
【課題を解決するための手段】
本発明による遊技機は、各々を識別可能な複数種類の識別情報を可変表示可能な可変表示手段（例えば可変表示装置９）を備え、あらかじめ定められている可変表示の実行条件（例えば始動入賞：始動入賞口１４への遊技球の入賞）が成立した後、可変表示の開始条件（例えば、前回の特別図柄の可変表示および大当り遊技状態が終了し、かつ、始動入賞記憶数が０でないこと）の成立にもとづいて可変表示の実行条件が成立した順番に従って複数種類の識別情報の可変表示を開始し、当該複数種類の識別情報の可変表示の表示結果が特定表示結果（例えば左中右図柄が同一の図柄）となったときに遊技者にとって有利な特定遊技状態（例えば大当り遊技状態）に制御可能となる遊技機であって、所定の数値範囲内で数値データ（例えば乱数を生成するためのカウンタのカウント値）を更新する数値データ更新手段（例えば乱数を生成するためのカウンタ）と、実行条件の成立時に、数値データ更新手段から数値データを抽出する数値データ抽出手段（例えば遊技制御手段における始動入賞が発生したときに始動入賞記憶の保存領域に格納されるデータとして各乱数を抽出する処理を実行する部分）と、実行条件が成立した後、未だ開始条件の成立していない実行条件の成立時に抽出された数値データを記憶順番を特定可能に記憶する保留記憶手段（例えば、始動入賞記憶の保存領域）と、実行条件が成立したときに、当該実行条件の成立時に抽出された数値データが所定の判定値データと一致するか否かを判定する事前判定処理（例えば予告設定処理、特にステップＳ２１１）を実行する事前判定手段（例えば、遊技制御手段における予告設定処理を実行する部分、特にステップＳ２１１を実行する部分）と、事前判定手段の判定結果にもとづいて、一致すると判定された数値データが抽出される起因となった実行条件にもとづく可変表示の表示結果が導出表示される前に所定の予告演出を実行するか否かを決定する予告決定手段（例えば、遊技制御手段におけるステップＳ２２２〜ステップＳ２２６を実行する部分）と、予告決定手段により所定の予告演出を実行することが決定されたときに、所定の予告演出の実行回数（例えば、連続予告演出における実行回数。具体的には、連続予告演出における各可変表示に伴って行われる予告演出の実行回数。あるいは、連続予告演出における可変表示の実行回数。）を決定する実行回数決定手段（例えば、遊技制御手段におけるステップＳ２２７を実行する部分）と、実行回数決定手段が決定した実行回数分の可変表示において所定の予告演出を実行する予告演出実行手段（例えば演出制御手段におけるステップ８０３を実行する部分）とを備え、実行回数決定手段は、所定の予告演出が実行される可変表示の表示結果が導出表示される前に新たに実行条件が成立したときに、当該実行条件の成立時に抽出された数値データが所定の判定値データと一致するか否かを判定する予告時判定処理（例えばステップＳ２０４内の大当り判定処理）を実行する予告時判定手段（例えば遊技制御手段におけるステップＳ２０４内の大当り判定処理を実行する部分）と、当該予告時判定手段の判定結果にもとづいて実行回数を増加するか否かを決定する決定処理（例えばステップＳ２０４内の実行回数を増加するか否か決定する処理）を実行する決定手段（例えば遊技制御手段におけるステップＳ２０４内の実行回数を増加するか否か決定する処理を実行する部分）と、当該決定手段によって増加すると決定されたときに実行回数の残り回数を増加させる増加制御（例えばステップＳ２０５）を実行する回数増加手段（例えば、遊技制御手段におけるステップＳ２０５を実行する部分）と、回数増加手段が増加制御を実行する起因となった実行条件の成立時に抽出された数値データが、所定の判定値データと一致する数値データであったとき（例えばステップＳ２０４内の大当り判定処理にて大当りとなると判定されたとき）には、当該数値データが抽出される起因となった実行条件以降の実行条件の成立にもとづく決定処理の実行を禁止する増加決定禁止手段（例えば遊技制御手段におけるステップＳ２０３を実行する部分）とを含むことを特徴とする。
【００１３】
増加決定禁止手段が、予告決定手段により予告演出を実行するとの決定がされる起因となった事前判定手段の判定結果が数値データが所定の判定値データと一致するとの判定結果であったときには（例えばステップＳ２２６にて連続予告を行うと判定されたとき）、回数増加手段による実行回数を増加するか否かの決定処理の実行を禁止する（例えばステップＳ２０３にてＹと判定されるように制御する）ように構成されていてもよい。
【００１４】
回数増加手段が、増加制御を実行するときに、当該増加制御を実行する起因となった実行条件の成立時に抽出された数値データが保留記憶手段に記憶された記憶順番に応じて増加する実行回数を決定する（例えば、ステップＳ２０５。具体的には、例えば、始動入賞記憶数を実行回数とすることにして、始動入賞記憶数から実行回数の残数を減算した回数を、増加させる実行回数と決定する。）ように構成されていてもよい。
【００１５】
可変表示の開始条件が成立したときに、当該開始条件が成立したことにもとづいて開始される可変表示の表示結果を特定表示結果とするか否かを決定する開始条件成立時決定手段（例えば遊技制御手段におけるステップＳ５６を実行する部分）を備え、予告演出実行手段は、開始条件成立時決定手段により特定表示結果とすることが決定されたときには、実行回数が残っていても予告演出の実行を終了させる（例えばステップＳ５９にて実行回数カウンタをクリアする）構成とされていてもよい。
【００１６】
可変表示の開始条件が成立したときに、当該開始条件が成立した実行条件の成立時に抽出された数値データが所定の判定値データと一致するか否かの判定を行い、判定の結果にもとづいて当該開始条件が成立した可変表示の表示結果を特定表示結果とするか否かを決定する開始時決定処理（例えばステップＳ５６）を実行する開始条件成立時決定手段（例えば遊技制御手段におけるステップＳ５６を実行する部分）を備え、開始時決定処理は、事前判定処理と共通のサブルーチンプログラム（例えば図７に示す大当り判定処理）を呼び出すことにより数値データが所定の判定値データと一致するか否かの判定を行う構成とされていてもよい。
【００１７】
可変表示の開始条件が成立したときに、当該開始条件が成立した実行条件の成立時に抽出された数値データが所定の判定値データと一致するか否かの判定を行い、判定の結果にもとづいて当該開始条件が成立した可変表示の表示結果を特定表示結果とするか否かを決定する開始時決定処理（例えばステップＳ５６）を実行する開始条件成立時決定手段（例えば遊技制御手段におけるステップＳ５６を実行する部分）を備え、開始時決定処理は、予告時判定処理と共通のサブルーチンプログラム（例えば図７に示す大当り判定処理）を呼び出すことにより数値データが所定の判定値データと一致するか否かの判定を行う構成とされていてもよい。
【００１８】
【発明の実施の形態】
以下、本発明の一実施形態を図面を参照して説明する。まず、遊技機の一例である第１種パチンコ遊技機の全体の構成について説明する。図１はパチンコ遊技機を正面からみた正面図である。
【００１９】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。
【００２０】
図１に示すように、パチンコ遊技機１は、額縁状に形成されたガラス扉枠２を有する。ガラス扉枠２の下部表面には打球供給皿（上皿）３がある。打球供給皿３の下部には、打球供給皿３に収容しきれない遊技球を貯留する余剰球受皿４と打球を発射する打球操作ハンドル（操作ノブ）５が設けられている。ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されている。
【００２１】
遊技領域７の中央付近には、それぞれが識別情報としての図柄を可変表示する複数の可変表示部を含む可変表示装置（特別可変表示部）９が設けられている。可変表示装置９には、例えば「左」、「中」、「右」の３つの可変表示部（図柄表示エリア）がある。なお、可変表示部は固定的な領域であってもよいが、遊技進行中に、可変表示装置９の表示領域において移動したり大きさが変化してもよい。また、可変表示装置９には、始動入賞口１４に入った有効入賞球数すなわち始動入賞記憶数を表示する４つの特別図柄始動記憶表示エリア（始動記憶表示エリア）１８が設けられている。有効始動入賞（始動入賞記憶数が４未満のときの始動入賞）がある毎に、表示色を変化させる（例えば青色表示から黄色表示に変化させる）始動記憶表示エリア１８を１増やす。そして、可変表示装置９の可変表示が開始される毎に、表示色が変化している始動記憶表示エリア１８を１減らす（すなわち表示色をもとに戻す）。
【００２２】
なお、図柄表示エリアと始動記憶表示エリア１８とが区分けされて設けられているので、可変表示中も始動入賞記憶数が表示された状態にすることができる。また、始動記憶表示エリア１８を図柄表示エリアの一部に設けるようにしてもよく、その場合には、可変表示中は始動入賞記憶数の表示を中断するようにすればよい。また、この実施の形態では、始動記憶表示エリア１８を可変表示装置９に設けるようにしているが、始動入賞記憶数を表示する表示器（特別図柄始動記憶表示器）を可変表示装置９とは別個に設けるようにしてもよい。
【００２３】
可変表示装置９の下方には、始動入賞口１４を含む可変入賞球装置１５が設けられている。始動入賞口１４に入った入賞球は、遊技盤６の背面に導かれ、始動口スイッチ１４ａによって検出される。また、可変入賞球装置１５は、開閉動作を行う左右の開閉片を備えている。この開閉片は、ソレノイド１６によって開状態とされる。
【００２４】
可変入賞球装置１５の下部には、特定遊技状態（大当り状態）においてソレノイド２１によって開状態とされる開閉板２０が設けられている。開閉板２０は大入賞口を開閉する手段である。開閉板２０から遊技盤６の背面に導かれた入賞球のうち一方（Ｖ入賞領域）に入った入賞球はＶ入賞スイッチ２２で検出され、開閉板２０からの入賞球はカウントスイッチ２３で検出される。遊技盤６の背面には、大入賞口内の経路を切り換えるためのソレノイド２１Ａも設けられている。
【００２５】
ゲート３２に遊技球が入賞しゲートスイッチ３２ａで検出されると、普通図柄始動入賞記憶が上限に達していなければ、所定の乱数値が抽出される。そして、普通図柄表示器１０において表示状態が変化する可変表示を開始できる状態であれば、普通図柄表示器１０の表示の可変表示が開始される。普通図柄表示器１０において表示状態が変化する可変表示を開始できる状態でなければ、普通図柄始動入賞記憶の値が１増やされる。普通図柄表示器１０の近傍には、普通図柄始動入賞記憶数を表示する４つのＬＥＤによる表示部を有する普通図柄始動記憶表示器４１が設けられている。ゲート３２への入賞がある毎に、普通図柄始動記憶表示器４１は点灯するＬＥＤを１増やす。そして、普通図柄表示器１０の可変表示が開始される毎に、点灯するＬＥＤを１減らす。なお、特別図柄と普通図柄とを一つの可変表示装置で可変表示するように構成することもできる。その場合には、特別可変表示部と普通可変表示部とは１つの可変表示装置で実現される。
【００２６】
この実施の形態では、左右のランプ（点灯時に図柄が視認可能になる）が交互に点灯することによって普通図柄の可変表示が行われ、可変表示は所定時間（例えば２９．２秒）継続する。そして、可変表示の終了時に左側のランプが点灯すれば当りとなる。当りとするか否かは、ゲート３２に遊技球が入賞したときに抽出された乱数の値が所定の当り判定値と一致したか否かによって決定される。普通図柄表示器１０における可変表示の表示結果が当りである場合に、可変入賞球装置１５が所定回数、所定時間だけ開状態になって遊技球が入賞しやすい状態になる。すなわち、可変入賞球装置１５の状態は、普通図柄の停止図柄が当り図柄である場合に、遊技者にとって不利な状態から有利な状態に変化する。
【００２７】
さらに、特別遊技状態としての確変状態では、普通図柄表示器１０における停止図柄が当り図柄になる確率が高められるとともに、可変入賞球装置１５の開放時間と開放回数とのうちの一方または双方が高められ、遊技者にとってさらに有利になる。また、確変状態等の所定の状態では、普通図柄表示器１０における可変表示期間（変動時間）が短縮されることによって、遊技者にとってさらに有利になるようにしてもよい。
【００２８】
遊技盤６には、複数の入賞口２９，３０，３３，３９が設けられ、遊技球の入賞口２９，３０，３３，３９への入賞は、それぞれ入賞口スイッチ２９ａ，３０ａ，３３ａ，３９ａによって検出される。遊技領域７の左右周辺には、遊技中に点滅表示される飾りランプ２５が設けられ、下部には、入賞しなかった打球を吸収するアウト口２６がある。また、遊技領域７の外側の左右上部には、効果音や音声を発する２つのスピーカ２７が設けられている。遊技領域７の外周には、天枠ランプ２８ａ、左枠ランプ２８ｂおよび右枠ランプ２８ｃが設けられている。
【００２９】
そして、この例では、左枠ランプ２８ｂの近傍に、賞球残数があるときに点灯する賞球ランプ５１が設けられ、右枠ランプ２８ｃの近傍に、補給球が切れたときに点灯する球切れランプ５２が設けられている。
【００３０】
打球発射装置から発射された遊技球は、打球レールを通って遊技領域７に入り、その後、遊技領域７を下りてくる。打球が始動入賞口１４に入り始動口スイッチ１４ａで検出されると、図柄の可変表示を開始できる状態であれば、可変表示装置９において特別図柄が可変表示（変動）を始める。図柄の可変表示を開始できる状態でなければ、始動入賞記憶数を１増やす。
【００３１】
可変表示装置９における特別図柄の可変表示は、一定時間が経過したときに停止する。停止時の特別図柄の組み合わせが大当り図柄（特定表示態様）であると、大当り遊技状態に移行する。すなわち、開閉板２０が、一定時間経過するまで、または、所定個数（例えば１０個）の打球が入賞するまで開放する。そして、開閉板２０の開放中に打球がＶ入賞領域に入賞しＶ入賞スイッチ２２で検出されると、継続権が発生し開閉板２０の開放が再度行われる。継続権の発生は、所定回数（例えば１５ラウンド）許容される。
【００３２】
停止時の可変表示装置９における特別図柄の組み合わせが確率変動を伴う大当り図柄（確変図柄）の組み合わせである場合には、次に大当りとなる確率が高くなる。すなわち、確変状態という遊技者にとってさらに有利な状態（特別遊技状態）となる。
【００３３】
図２は、主基板３１および演出制御基板８０における回路構成の一例を示すブロック図である。図２には、主基板３１および演出制御基板８０が有する機能構成の一例も示されている。なお、図２には、ランプドライバ基板３５および音声出力基板７０も示されている。主基板３１には、プログラムに従ってパチンコ遊技機１を制御する基本回路５３が搭載されている。図示はしないが、主基板３１には、始動口スイッチ１４ａや入賞口スイッチ２９ａ，３０ａ，３３ａ，３９ａなどの各種のスイッチからの信号を基本回路５３に与えるスイッチ回路や、可変入賞球装置１５を開閉するソレノイド１６、開閉板２０を開閉するソレノイド２１および大入賞口内の経路を切り換えるためのソレノイド２１Ａを基本回路５３からの指令に従って駆動するソレノイド回路などの各種の回路が搭載されている。
【００３４】
基本回路５３は、ゲーム制御用のプログラム等を記憶するＲＯＭ５４、ワークメモリとして使用される記憶手段（変動データを記憶する手段）としてのＲＡＭ５５、プログラムに従って制御動作を行うＣＰＵ５６およびＩ／Ｏポート部５７を含む。この実施の形態では、ＲＯＭ５４，ＲＡＭ５５はＣＰＵ５６に内蔵されている。すなわち、ＣＰＵ５６は、１チップマイクロコンピュータである。なお、１チップマイクロコンピュータは、少なくともＲＡＭ５５が内蔵されていればよく、ＲＯＭ５４およびＩ／Ｏポート部５７は外付けであっても内蔵されていてもよい。なお、ＣＰＵ５６はＲＯＭ５４に格納されているプログラムに従って制御を実行するので、以下、ＣＰＵ５６が実行する（または、処理を行う）ということは、具体的には、ＣＰＵ５６がプログラムに従って制御を実行することである。このことは、主基板３１以外の他の基板に搭載されているＣＰＵ（例えば演出制御用ＣＰＵ１０１）についても同様である。
【００３５】
主基板３１（特にＣＰＵ５６）は、遊技の進行を制御するための各種の処理を実行する機能を有しており、特に本例では、後述する予告設定処理を実行する予告設定処理部５６ａと、変動開始時処理を実行する変動開始時処理部５６ｂと、大当り判定処理を実行する大当り判定処理部５６ｃとを有している。
【００３６】
また、図２に示すように、演出制御基板８０には、プログラムに従って可変表示装置９などの演出装置を制御する基本回路１０５が搭載されている。基本回路１０５は、演出装置制御用のプログラム等を記憶するＲＯＭ１０２、ワークメモリとして使用される記憶手段（変動データを記憶する手段）としてのＲＡＭ１０３、プログラムに従って制御動作を行う演出制御用ＣＰＵ１０１およびＩ／Ｏポート部１０４を含む。この実施の形態では、ＲＯＭ１０２，ＲＡＭ１０３はＣＰＵ５６に内蔵されている。演出制御用ＣＰＵ１０１は、ＲＯＭ１０２に格納されたプログラムに従って動作し、主基板３１からのストローブ信号（演出制御ＩＮＴ信号）に応じて演出制御コマンドを受信する。また、演出制御用ＣＰＵ１０１は、ＶＤＰ（ビデオディスプレイプロセッサ）を介してＬＣＤ（液晶表示装置）を用いた可変表示装置９の表示制御を行う。なお、演出制御用ＣＰＵ１０１は、普通図柄表示器１０の表示制御も行う。
【００３７】
演出制御基板８０（特に演出制御用ＣＰＵ１０１）は、表示、発光体、音による遊技演出を制御するための各種の処理を実行する機能を有しており、特に本例では、後述する演出実行処理を実行する演出実行処理部１０１ａを有している。
【００３８】
なお、この実施の形態では、演出制御基板８０に搭載されている演出制御手段が、遊技盤に設けられている普通図柄始動記憶表示器４１および飾りランプ２５等の各種の発光体の表示制御を行う。なお、各ランプはＬＥＤその他の種類の発光体でもよい。すなわち、ランプやＬＥＤは発光体の一例である。
【００３９】
この実施の形態では、遊技機に設けられているランプ・ＬＥＤは、演出制御基板８０に搭載されている演出用ＣＰＵ１０１を含む演出制御手段によって制御される。また、可変表示装置９、普通図柄表示器１０およびランプ・ＬＥＤ等を制御するためのデータがＲＯＭ１０２に格納されている。演出用ＣＰＵ１０１は、ＲＯＭ１０２に格納されているデータにもとづいて可変表示装置９、普通図柄表示器１０およびランプ・ＬＥＤ等を制御する。そして、ランプドライバ基板３５に搭載されている出力ポートおよび各駆動回路を介して、ランプ・ＬＥＤおよび演出用駆動手段が駆動される。
【００４０】
この実施の形態では、スピーカ２７から出力される音声や効果音は演出制御用ＣＰＵ１０１を含む演出制御手段によって制御される。すなわち、演出制御手段は、音声出力基板７０に音番号データを出力する。音声出力基板７０に搭載されている音声データＲＯＭ（図示せず）には、遊技の進行に伴って出現しうる音声や効果音を実現するための多数のデータが格納され、それらのデータは音番号データに対応付けられている。従って、演出制御手段は、音番号データを出力するだけで音出力制御を実現することができる。なお、音番号データは例えば１バイトデータであり、シリアル信号線またはパラレル信号線によって音声出力基板７０に転送される。
【００４１】
次に、遊技機の動作について説明する。先ず、主基板３１における遊技制御手段（ＣＰＵ５６およびＲＯＭ，ＲＡＭ等の周辺回路）が実行するメイン処理について説明する。遊技機に対して電源が投入されると、ＣＰＵ５６は、メイン処理を開始する。
【００４２】
メイン処理では、ＣＰＵ５６は、まず、必要な初期設定を行い、遊技機への電力供給が停止したときにバックアップＲＡＭ領域のデータ保護処理が行われていれば、遊技制御手段の内部状態と演出制御手段等の電気部品制御手段の制御状態を電力供給停止時の状態に戻すための遊技状態復旧処理を行う。そして、バックアップＲＡＭ領域に保存されていたＰＣ（プログラムカウンタ）の退避値がＰＣに設定され、そのアドレスに復帰する。
【００４３】
一方、保護処理が行われていなければ、ＣＰＵ５６は、初期化処理として、ＲＡＭクリア処理、所定の作業領域（例えば、各種のカウンタ、バッファ、ポインタ、フラグ）に初期値を設定する作業領域設定処理、およびサブ基板（この実施の形態では払出制御基板および演出制御基板８０）を初期化するための初期化コマンドを各サブ基板に送信する処理を行う。
【００４４】
また、初期化処理にて、２ｍｓ毎に定期的にタイマ割込がかかるようにＣＰＵ５６に設けられているＣＴＣのレジスタの設定が行われる。すなわち、初期値として２ｍｓに相当する値が所定のレジスタ（時間定数レジスタ）に設定される。
【００４５】
初期化処理の実行が完了すると、メイン処理で、表示用乱数更新処理および初期値用乱数更新処理が繰り返し実行される。表示用乱数とは、可変表示装置９に表示される図柄を決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。初期値用乱数とは、大当りとするか否かを決定するための乱数を発生するためのカウンタ（大当り判定用乱数発生カウンタ）等の、カウント値の初期値を決定するための乱数である。後述する遊技制御処理において、大当り判定用乱数発生カウンタのカウント値が１周すると、そのカウンタに初期値が設定される。
【００４６】
次に、２ｍｓ毎に発生するタイマ割込を契機として実行されるタイマ割込処理（遊技制御処理）について説明する。
タイマ割込が発生すると、ＣＰＵ５６は、遊技制御処理を実行する。遊技制御処理において、ＣＰＵ５６は、スイッチ回路５８を介して始動口スイッチ１４ａ等のスイッチの検出信号を入力し、それらの状態判定を行うスイッチ処理、判定用乱数を生成するための各カウンタのカウント値を更新する判定用乱数更新処理、初期値用乱数を生成するためのカウンタのカウント値および表示用乱数を生成するためのカウンタのカウント値を更新する表示用乱数更新処理、特別図柄プロセス処理、普通図柄プロセス処理、特別図柄や普通図柄に関するコマンドを送出するコマンド制御処理、入賞口スイッチ２９ａ，３０ａ，３３ａ，３９ａの検出信号にもとづく賞球個数の設定などを行う賞球処理、始動入賞記憶数の増減をチェックする記憶処理などの各種の処理を実行する。
【００４７】
なお、遊技制御処理における特別図柄プロセス処理では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。
【００４８】
また、遊技制御処理における普通図柄プロセス処理では、普通図柄表示器１０の表示状態を所定の順序で制御するための普通図柄プロセスフラグに従って該当する処理が選び出されて実行される。そして、普通図柄プロセスフラグの値は、遊技状態に応じて各処理中に更新される。
【００４９】
また、遊技制御処理における記憶処理では、ＣＰＵ５６は、始動入賞記憶カウンタのカウント値を確認し、始動入賞記憶数に応じた始動入賞記憶指定の演出制御コマンドを送信する。このようにして、記憶処理において、遊技制御処理が実行される毎に、演出制御基板８０に搭載されている演出制御手段に対して、始動入賞記憶数指定の演出制御コマンドが送信される。
【００５０】
この実施の形態では、以上のような遊技制御処理が２ｍｓ毎に起動されることになる。なお、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【００５１】
ここで、主基板３１で用いられる各乱数の一部について説明する。この例では、ランダム１〜ランダム１０の乱数が用いられ、それぞれ以下のように使用される。
（１）ランダム１：大当りを発生させるか否か決定する（大当り判定用）
（２）ランダム２−１〜２−３（ランダム２）：特別図柄の左中右のはずれ図柄決定用（特別図柄左中右）
（３）ランダム３：大当りを発生させる特別図柄の組合せを決定する（大当り図柄決定用）
（４）ランダム４：特別図柄の変動パターンを決定する（変動パターン決定用）
（５）ランダム５：大当りを発生させない場合にリーチとするか否かを決定する（リーチ判定用）
（６）ランダム６：普通図柄にもとづく当りを発生させるか否か決定する（普通図柄当り判定用）
（７）ランダム７：ランダム１の初期値を決定する（ランダム１初期値決定用）
（８）ランダム８：ランダム６の初期値を決定する（ランダム６初期値決定用）
（９）ランダム９：予告演出を実行するか否かを決定する（予告判定用）
（１０）ランダム１０：予告演出の演出態様を決定する（予告態様決定用）
【００５２】
遊技制御処理における判定用乱数更新処理では、ＣＰＵ５６は、（１）の大当り判定用乱数、（３）の大当り図柄決定用乱数、（６）の普通図柄当り判定用乱数、および（９）の予告判定用乱数を生成するためのカウンタのカウントアップ（１加算）を行う。すなわち、それらが判定用乱数であり、それら以外の乱数が表示用乱数または初期値用乱数である。なお、遊技効果を高めるために、上記（１）〜（１０）の乱数以外の普通図柄に関する乱数等も用いられている。
【００５３】
図３は、ＣＰＵ５６が実行する特別図柄プロセス処理のプログラムの一例を示すフローチャートである。図３に示す処理は、上述した遊技制御処理における特別図柄プロセス処理の具体的な処理である。ＣＰＵ５６は、特別図柄プロセス処理を行う際に、変動短縮タイマ減算処理（ステップＳ３１０）を行い、遊技盤６に設けられている始動入賞口１４に遊技球が入賞したことを検出するための始動口スイッチ１４ａがオンしていたら、すなわち遊技球が始動入賞口１４に入賞する始動入賞が発生していたら（ステップＳ３１１）、始動口スイッチ通過処理（ステップＳ３１２）を行った後に、内部状態に応じて、ステップＳ３００〜Ｓ３０８のうちのいずれかの処理を行う。変動短縮タイマは、特別図柄の変動時間が短縮される場合に、変動時間を設定するためのタイマである。
【００５４】
特別図柄通常処理（ステップＳ３００）：特別図柄の可変表示を開始できる状態になるのを待つ。特別図柄の可変表示が開始できる状態になると、始動入賞記憶数を確認する。始動入賞記憶数が０でなければ、特別図柄の可変表示の結果、大当りとするか否か決定する。そして、内部状態（特別図柄プロセスフラグ）をステップＳ３０１に移行するように更新する。
【００５５】
特別図柄停止図柄設定処理（ステップＳ３０１）：特別図柄の可変表示後の左中右図柄の停止図柄を決定する。そして、内部状態（特別図柄プロセスフラグ）をステップＳ３０２に移行するように更新する。
【００５６】
変動パターン設定処理（ステップＳ３０２）：特別図柄の可変表示の変動パターン（可変表示態様）を、ランダム４の値に応じて決定する。また、変動時間タイマをスタートさせる。このとき、演出制御基板８０に対して、左中右最終停止図柄と変動態様（変動パターン）を指令する情報とが送信される。そして、内部状態（特別図柄プロセスフラグ）をステップＳ３０３に移行するように更新する。
【００５７】
特別図柄変動処理（ステップＳ３０３）：所定時間（ステップＳ３０２の変動時間タイマで示された時間）が経過すると、内部状態（特別図柄プロセスフラグ）をステップＳ３０４に移行するように更新する。
【００５８】
特別図柄停止処理（ステップＳ３０４）：可変表示装置９において表示される全図柄が停止されるように制御する。具体的には、特別図柄停止を示す演出制御コマンドが送信される状態に設定する。そして、停止図柄が大当り図柄の組み合わせである場合には、内部状態（特別図柄プロセスフラグ）をステップＳ３０５に移行するように更新する。そうでない場合には、内部状態をステップＳ３００に移行するように更新する。
【００５９】
大入賞口開放前処理（ステップＳ３０５）：大入賞口を開放する制御を開始する。具体的には、カウンタやフラグを初期化するとともに、ソレノイド２１を駆動して大入賞口を開放する。また、プロセスタイマによって大入賞口開放中処理の実行時間を設定し、大当り中フラグをセットする。そして、内部状態（特別図柄プロセスフラグ）をステップＳ３０６に移行するように更新する。
【００６０】
大入賞口開放中処理（ステップＳ３０６）：大入賞口ラウンド表示の演出制御コマンドを演出制御基板８０に送出する制御や大入賞口の閉成条件の成立を確認する処理等を行う。最後の大入賞口の閉成条件が成立したら、内部状態をステップＳ３０７に移行するように更新する。
【００６１】
特定領域有効時間処理（ステップＳ３０７）：Ｖ入賞スイッチ２２の通過の有無を監視して、大当り遊技状態継続条件の成立を確認する処理を行う。大当り遊技状態継続の条件が成立し、かつ、まだ残りラウンドがある場合には、内部状態をステップＳ３０５に移行するように更新する。また、所定の有効時間内に大当り遊技状態継続条件が成立しなかった場合、または、全てのラウンドを終えた場合には、内部状態をステップＳ３０８に移行するように更新する。
【００６２】
大当り終了処理（ステップＳ３０８）：大当り遊技状態が終了したことを遊技者に報知する表示制御を演出制御手段に行わせるための制御を行う。そして、内部状態をステップＳ３００に移行するように更新する。
【００６３】
始動口スイッチ通過処理（ステップＳ３１２）では、ＣＰＵ５６は、始動入賞記憶数が最大値である４に達していなければ、始動入賞記憶数を１増やし、大当り判定用乱数等の各乱数（例えばランダム１〜ランダム５）の値を抽出し、それらを始動入賞記憶数の値に対応した保存領域（特別図柄判定用バッファ）に格納する処理を行う。なお、乱数を抽出するとは、乱数を生成させるためのカウンタからカウント値を読み出して、読み出したカウント値を乱数値とすることである。そして、ＣＰＵ５６は、後述する予告設定処理を実行する。
【００６４】
なお、この実施の形態では、左中右の特別図柄は、それぞれ、「０」〜「１１」の１２通りあって、可変表示装置９において「０」から順に特別図柄の表示が変化することによって特別図柄の変動が実現される。なお、特別図柄の変動中において、表示図柄の表示は非連続的に変化してもよい。また、特別図柄の最終停止図柄（確定図柄）が左中右揃った場合に大当りとなり、左右が揃った場合にリーチとなる。そして、大当りとなる場合において、奇数図柄で揃ったときには、大当り遊技終了後に高確率状態に移行する。また、高確率状態において、大当りが発生すると、または、所定回の特別図柄の変動が行われると高確率状態は終了し低確率状態に戻る。
【００６５】
図４，図５は、上述した始動口スイッチ通過処理（ステップＳ３１２）内で実行される予告設定処理を示すフローチャートである。上述したように、予告設定処理は、有効始動入賞が発生する毎に、ＣＰＵ５６（予告設定処理部５６ａ）によって実行される。予告設定処理において、ＣＰＵ５６は、連続予告演出を実現するための予告演出の実行回数のうち、未だ実行されていない残りの回数が記憶されている実行回数カウンタを読み出す（ステップＳ２０１）。
【００６６】
読み出した実行回数カウンタのカウント値が０でなければ（ステップＳ２０２）、ＣＰＵ５６は、現在実行中の連続予告の予告対象となっている可変表示の表示結果が大当りとなるか否か確認する（ステップＳ２０３）。この確認は、例えば、予告対象となる可変表示の表示結果が大当りとなるか否かを示す予告結果判定フラグの状態を確認することによって行われる。予告結果判定フラグは、後述するステップＳ２２６にて予告結果が大当りとなる大当り予告としての連続予告を行うことが決定されたとき、あるいはステップＳ２０４にて実行回数を増加したことにより予告結果が大当りとなる大当り予告としての連続予告に変更することとなったときにセットされ、後述する実行回数カウンタの値が０になったとき（例えば、ステップＳ５９にて０とされたとき、ステップＳ６４の減算処理の結果０となったとき）にリセットされる。
【００６７】
予告対象となっている可変表示が大当りとなる場合には（ステップＳ２０３のＹ）、ＣＰＵ５６は、実行回数を増やすか否かの判定処理などを実行することなく予告判定処理を終了する。
【００６８】
予告対象となっている可変表示がはずれとなる場合には（ステップＳ２０３のＮ）、ＣＰＵ５６は、実行回数を増やすか否か判定する（ステップＳ２０４）。ステップＳ２０４では、始動入賞カウンタが示す値に対応する保存領域（すなわち、今回の予告設定処理の実行の起因となった始動入賞の発生に応じて抽出された乱数値が保存されている領域）に保存されている大当り判定用乱数値を読み出し、大当り判定モジュールを呼び出して実行することで、読み出した大当り判定用乱数値が大当り判定値と一致するか否かを判定する。そして、この例では、一致していると判定した場合には、一致していないときと比較して高確率で実行回数を増やすことに決定する。なお、一致しているときに限って実行回数を増やすようにしてもよい。また、一致しているときは常に実行回数を増やすようにしてもよい。
【００６９】
実行回数を増やすことに決定した場合には、ＣＰＵ５６は、実行回数カウンタのカウント値を始動入賞カウンタのカウント値とし、実行回数を増加させる処理を行う（ステップＳ２０５）。ステップＳ２０５では、例えば、実行回数カウンタが示す連続予告演出を伴う可変表示の残り回数が２回であり、始動入賞カウンタのカウント値が４回であった場合には、実行回数カウンタのカウント値が４回に変更され実行回数が２回増加されることになる。そして、ＣＰＵ５６は、増加された回数分の予告態様（予告演出の演出態様）を決定する（ステップＳ２０６）。例えば、実行回数が２回増加した場合には、その２回分の予告演出の演出態様が決定される。
【００７０】
ステップＳ２０１にて読み出した実行回数カウンタのカウント値が０であった場合には（ステップＳ２０２のＹ）、ＣＰＵ５６は、始動入賞カウンタのカウント値を処理数に設定するとともに（ステップＳ２０７）、検査回数カウンタのカウント値を初期値である０に設定する（ステップＳ２０８）。なお、検査回数カウンタは、後述するステップＳ２０９〜ステップＳ２１４のループ処理の繰り返し回数をカウントするためのカウンタである。
【００７１】
次いで、ＣＰＵ５６は、検査回数カウンタのカウント値を１加算し（ステップＳ２０９）、始動入賞記憶数＝Ｋ（検査回数カウンタのカウント値が示す数）に対応する保存領域に格納されている大当り判定用乱数値を読み出して（ステップＳ２１０）、大当り判定モジュールを実行する。すなわち、大当り判定サブルーチンをコールする（ステップＳ２１１）。大当り判定モジュールにおいて、読み出した大当り判定用乱数値にもとづいて大当りとならないと判定された場合には（ステップＳ２１２のＮ）、ＣＰＵ５６は、処理数を１減算し（ステップＳ２１３）、減算後の処理数が０になっていなければステップＳ２０９の処理に移行する（ステップＳ２１４のＹ）。
【００７２】
すなわち、この例では、ステップＳ２０９〜ステップＳ２１４の処理が、処理数が０になるまで繰り返し実行される。ただし、この例では、ステップＳ２０９〜ステップＳ２１４のループ処理におけるステップＳ２１１において大当りとなるとの判定がなされると（ステップＳ２１２のＹ）、その時点でループ処理を終了する。つまり、ステップＳ２０９〜ステップＳ２１４では、保留中の可変表示の中に大当りとなるものがあると判定されるまで、または、処理数が０となるまで（保留中の可変表示についての判定を全て終えるまで）、始動入賞記憶数＝１〜４に対応するそれぞれの保存領域に格納されている各大当り判定用乱数値が、抽出された順番が早い方から順次読み出され、大当りとなるか否かの判定が実行される。
【００７３】
ＣＰＵ５６は、ステップＳ２１１において大当りとなると判定された場合には（ステップＳ２１２のＹ）、大当りあり時の予告判定テーブル（図示せず）を使用テーブルとして設定する（ステップＳ２２２）。大当りあり時の予告判定テーブルは、大当りなし時の予告判定テーブルと比較して高確率で連続予告を実行することに決定されるように、予告判定用乱数の抽出値と比較される比較値が設定されている。
【００７４】
そして、ＣＰＵ５６は、検査回数カウンタのカウント値が２以上であれば（ステップＳ２２３のＹ）、予告判定用乱数を抽出し（ステップＳ２２４）、予告判定用乱数が、使用テーブルとして設定されている予告判定テーブルに設定されている比較値のいずれかと一致したら連続予告を行うことに決定する（ステップＳ２２５）。
【００７５】
連続予告を行うと判定された場合には（ステップＳ２２６のＹ）、ＣＰＵ５６は、連続予告における予告演出の連続回数の残数をカウントする実行回数カウンタに、検査回数カウンタのカウント値を設定する（ステップＳ２２７）。次いで、ＣＰＵ５６は、予告態様決定用乱数値を抽出し、その予告態様決定用乱数にもとづいて連続予告の予告態様（予告パターン）を決定する（ステップＳ２２８）。
【００７６】
ステップＳ２２８での予告パターンの決定には、例えば、予告態様決定用乱数の抽出値と比較される比較値が振り分けられた予告パターン決定用テーブル（図示せず）が用いられる。予告パターン決定用テーブルには、例えば、４種類の予告演出Ａ〜予告演出Ｄ（図９参照）を用いた連続回数分の予告演出の組合せが予め設定されており、その組合せに比較値が振り分けされている。従って、ステップＳ２２８では、連続回数分の予告演出の演出態様が決定される。
【００７７】
具体的には、ステップＳ２２７において実行回数カウンタに「４」が設定された場合には、ステップＳ２２８において４回分の予告演出の組合せが予め設定されている予告パターン決定用テーブルが用いられ、抽出された予告態様決定用乱数値によって４回分の可変表示それぞれで実行される各予告演出が決定される。例えば、予告演出Ａ、予告演出Ｃ、予告演出Ｂ、予告演出Ｄの順番で連続的に予告演出が実行されることで連続予告演出が行われることが決定される。
【００７８】
また、ＣＰＵ５６は、保留記憶の中に大当りとするものがなかった場合には（ステップＳ２１４のＮ）、大当りなし時の予告判定テーブル（図示せず）を使用テーブルとして設定する（ステップＳ２１５）。
【００７９】
そして、ＣＰＵ５６は、始動入賞カウンタのカウント値が２以上であれば（ステップＳ２１６）、予告判定用乱数を抽出し（ステップＳ２１７）、予告判定用乱数が、使用テーブルとして設定されている予告判定テーブルに設定されている比較値のいずれかと一致したら連続予告を行うことに決定する（ステップＳ２１８）。
【００８０】
連続予告を行うと判定された場合には（ステップＳ２１９のＹ）、ＣＰＵ５６は、連続予告における予告演出の連続回数の残数をカウントする実行回数カウンタに、始動入賞カウンタのカウント値を設定する（ステップＳ２２０）。次いで、ＣＰＵ５６は、予告態様決定用乱数値を抽出し、その予告態様決定用乱数にもとづいて連続予告の予告態様（予告パターン）を決定する（ステップＳ２２１）。
【００８１】
ステップＳ２２１での予告パターンの決定には、例えば、予告態様決定用乱数の抽出値と比較される比較値が振り分けられた予告パターン決定用テーブル（図示せず）が用いられる。予告パターン決定用テーブルには、例えば、４種類の予告演出Ａ〜予告演出Ｄ（図９参照）を用いた連続回数分の予告演出の組合せが予め設定されており、その組合せに比較値が振り分けされている。従って、ステップＳ２２１では、連続回数分の予告演出が決定される。
【００８２】
以上のような処理によって、この実施の形態では、保留記憶中に大当りとなるものがあった場合に、連続予告を実行可能になる。また、この実施の形態では、大当りとならない場合にも、すなわち、保留記憶中に大当りとなるものがない場合でも、連続予告（いわゆるガセ予告）を実行可能とする構成としている。ただし、ステップＳ２２２とステップＳ２１５とで異なる予告判定テーブルを用いた判定処理を行う構成として、保留記憶中に大当りとなるものがない場合と比較して、保留記憶中に大当りとなるものがあった場合は高確率で連続予告を行うことに決定されるようにしている。
【００８３】
また、上述した処理によって、連続予告演出が開始されたあと完了する前に始動入賞があると、その始動入賞にもとづく可変表示が大当りとなるものであった場合には、連続予告を行う可変表示の実行回数を増加させることが可能となる。また、この実施の形態では、大当りとならない場合にも、連続予告を行う可変表示の実行回数を増加可能な構成としている。
【００８４】
図６は、変動開始時処理を示すフローチャートである。変動開始時処理は、上述した特別図柄プロセス処理に含まれる複数の処理の一部（ステップＳ３００〜ステップＳ３０２）をまとめて示す処理である。
【００８５】
変動開始時処理において、ＣＰＵ５６は、特別図柄の変動を開始することができる状態（例えば可変表示装置９において図柄の変動がなされておらず、かつ、大当り遊技中でもない状態）であれば（ステップＳ５１）、始動入賞記憶数（保留記憶数）の値を確認する（ステップＳ５２）。具体的には、始動入賞カウンタのカウント値を確認する。なお、可変表示装置９において図柄の変動がなされておらず、かつ、大当り遊技中でもない状態であるか否かは、特別図柄プロセスフラグの示す値が所定の値となっているか否かによって判定される。
【００８６】
始動入賞記憶数が０でなければ、始動入賞記憶数＝１に対応する保存領域に格納されている各乱数値を読み出してＲＡＭ５５の乱数バッファ領域に格納するとともに（ステップＳ５３）、始動入賞記憶数の値を１減らし（始動入賞記憶カウンタのカウント値を１減らし）、かつ、各保存領域の内容をシフトする（ステップＳ５４）。すなわち、始動入賞記憶数＝ｎ（ｎ＝２，３，４）に対応する保存領域に格納されている各乱数値を、始動入賞記憶数＝ｎ−１に対応する保存領域に格納する。よって、各始動入賞記憶数に対応するそれぞれの保存領域に格納されている各乱数値が抽出された順番は、常に、始動入賞記憶数＝１，２，３，４の順番と一致するようになっている。すなわち、この例では、ＣＰＵ５６は、可変表示の開始条件が成立する毎に、各保存領域の内容をシフトする処理を実行するので、始動入賞が生じたときに実行された入賞時判定処理の判定結果が、いずれの始動入賞記憶に対応するのかを容易に特定することができる。
【００８７】
次いで、ＣＰＵ５６は、乱数格納バッファから大当り判定用乱数を読み出し（ステップＳ５５）、大当り判定モジュールを実行する（ステップＳ５６）。大当りとすることに決定しない場合には、乱数格納バッファからリーチ判定用乱数を読み出して、リーチ判定モジュールを実行する（ステップＳ５７）。
【００８８】
大当りの有無（はずれの場合にはリーチの有無）を決定すると、ＣＰＵ５６は、始動入賞記憶数＝１に対応する保存領域に保存されているランダム３の格納値（大当りとする場合）、あるいは、ランダム２の格納値（はずれとする場合）を抽出し、特別図柄の停止図柄を決定する（ステップＳ５８）。
【００８９】
また、ＣＰＵ５６は、ステップＳ５６にて大当りとすることに決定されていれば、実行回数カウンタをロードして、実行回数カウンタのカウント値が「０」でなければ「０」とする（ステップＳ５９）。すなわち、この例では、連続予告演出の実行が完了する前に大当りが発生すると、連続予告演出の実行を強制的に終了させる制御がなされている。
【００９０】
次いで、変動パターン決定用乱数カウンタから変動パターン決定用乱数を抽出し（ステップＳ６０）、抽出した変動パターン決定用乱数の値に応じて変動パターンを決定する（ステップＳ６１）。具体的には、ステップＳ６１において、あらかじめ用意されている複数種類の変動パターンの中から、あらかじめ定められている変動パターン選択用のテーブルに配されている比較値のうち、抽出した変動パターン決定用乱数の値と一致する比較値が対応付けられている変動パターンとすることに決定される。なお、本例では、連続予告演出の実行中であれば、ＣＰＵ５６は、ステップＳ６１にて、あらかじめ決定されている予告態様での予告演出を含む変動パターンを選択する。
【００９１】
変動パターンを決定すると、ＣＰＵ５６は、決定した変動パターンの変動時間データを特別図柄プロセスタイマに設定する（ステップＳ６４）。そして、ＣＰＵ５６は、実行回数カウンタのカウント値が０でなければ１減算し（ステップＳ６３，Ｓ６４）、決定した変動パターン指定のコマンド送信テーブルのアドレスをポインタにセットし（ステップＳ６５）、サブルーチンであるコマンドセット処理を実行する（ステップＳ６６）。
【００９２】
コマンドセット処理を実行することによって演出制御コマンドが演出制御基板８０に送信される。この実施の形態では、演出制御手段に送信されうる各演出制御コマンドはＲＯＭ５４のコマンド送信テーブルに格納されている。また、コマンドセット処理では、ＣＰＵ５６は、ポインタが示すＲＯＭ５４のアドレスに格納されている演出制御コマンドデータを、演出制御コマンドデータを出力するための出力ポートに設定するとともに、コマンドを送信することを示す演出制御ＩＮＴ信号を出力する。
【００９３】
そして、ＣＰＵ５６は、内部状態（特別図柄プロセスフラグ）を更新する処理（具体的には上述したステップＳ３０３の処理を示す値に更新する処理）を実行する（ステップＳ６７）。
【００９４】
図７は、ステップＳ５６，Ｓ２０４，Ｓ２１１等でサブルーチンとして呼び出されて使用される大当り判定モジュールを示すフローチャートである。大当り判定処理において、ＣＰＵ５６は、まず、設定されているパラメータを用いて確変中であるか否か判定する（ステップＳ１４１）。
【００９５】
この例では、大当り判定モジュールが実行される前に確変中であるか否かを判定するためのパラメータが設定される。ステップＳ１４１では、設定されたパラメータによって、そのときの状態が確変中であるか否か、あるいは将来の所定の可変表示の開始時の状態が確変中であるか否かが判定される。
【００９６】
具体的には、可変表示の開始条件成立時に大当り判定処理が実行される場合には（例えばステップ５６にて呼び出される場合）、その前（例えばステップＳ５６にて大当り判定モジュールを呼び出す前）に、現在の遊技状態を示す現在遊技状態情報がパラメータとして設定される。現在遊技状態情報は、例えば確変フラグによる確変状態であるか否かを示す情報である。
【００９７】
また、可変表示の実行条件成立時に大当り判定処理が実行される場合には（例えばステップＳ２１１にて呼び出される場合）、その前（例えばステップＳ２１１にて大当り判定モジュールを呼び出す前）に、大当り判定の対象となる可変表示の開始時の遊技状態を示す保留遊技状態情報がパラメータとして設定される。保留遊技状態情報は、保留遊技状態フラグによる確変状態であるか否かを示す情報である。そして、確変状態にて１００回の回転（可変表示演出）まで高確率状態が維持される場合には、確変状態での可変表示の残り回数をカウントする回転数カウンタと、その回転数カウンタのカウント数からステップＳ２０９〜ステップＳ２１４のループ処理の実行回数を減算した値（負の値となるときは０とする）が格納される保留回転数カウンタとを備え、ＣＰＵ５６が、ステップＳ２１１の実行前に、保留回転数カウンタのカウント値が０であるか否かを判定し、０であれば保留遊技状態フラグをオフ状態（非確変状態を示す状態）し、０でなければ保留遊技状態フラグをオン状態（確変状態を示す状態）に維持するようにすればよい。
【００９８】
確変中であれば、大当り判定テーブル中の高確率時のテーブル（高確率で大当りと判定されるように比較値が設定されているテーブル）を使用することに決定する（ステップＳ１４３）。確変中でなければ、大当り判定テーブル中の低確率時のテーブル（高確率時よりも低確率で大当りと判定されるように比較値が設定されているテーブル）を使用することに決定する（ステップＳ１４４）。
【００９９】
そして、抽出されているランダム１の値に一致する値が大当り判定テーブル中にあるか否か判定し（ステップＳ１４５，Ｓ１４６）、一致する値があれば大当であると判定し（ステップＳ１４７）、一致する値がなければ大当りでないと判定する（ステップＳ１４８）。
【０１００】
次に、遊技制御手段から演出制御手段に対する制御コマンドの送出方式について説明する。この実施の形態では、演出制御コマンドは、演出制御信号Ｄ０〜Ｄ７の８本の信号線で主基板３１から演出制御基板８０に送信される。また、主基板３１と演出制御基板８０との間には、ストローブ信号（演出制御ＩＮＴ信号）を送信するための演出制御ＩＮＴ信号の信号線が配線されている。すなわち、制御コマンドは、８本の信号線と１本のＩＮＴ信号の信号線によって送信される。
【０１０１】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」とされ、ＥＸＴデータの先頭ビット（ビット７）は必ず「０」とされる。なお、そのようなコマンド形態は一例であって他のコマンド形態を用いてもよい。例えば、１バイトや３バイト以上で構成される制御コマンドを用いてもよい。
【０１０２】
演出制御コマンドの８ビットの演出制御コマンドデータは、演出制御ＩＮＴ信号に同期して出力される。演出制御基板８０に搭載されている演出制御手段は、演出制御ＩＮＴ信号が立ち上がったことを検知して、割込処理によって１バイトのデータの取り込み処理を開始する。従って、演出制御手段から見ると、演出制御ＩＮＴ信号は、演出制御コマンドデータの取り込みの契機となる取込信号に相当する。
【０１０３】
演出制御コマンドは、演出制御手段が認識可能に１回だけ送出される。認識可能とは、この例では、演出制御ＩＮＴ信号のレベルが変化することであり、認識可能に１回だけ送出されるとは、例えば演出制御コマンドデータの１バイト目および２バイト目のそれぞれに応じて演出制御ＩＮＴ信号が１回だけパルス状（矩形波状）に出力されることである。
【０１０４】
ここで、演出制御基板８０に送出される演出制御コマンドの内容の一例について説明する。特別図柄を可変表示する可変表示装置９における特別図柄の変動パターンを指定する演出制御コマンドは、コマンド８０００（Ｈ）〜８０５８（Ｈ）とされる。なお、変動パターンを指定するコマンド（変動パターンコマンド）は変動開始指示も兼ねている。
【０１０５】
特別図柄の左中右の停止図柄を指定する演出制御コマンドは、コマンド９１ＸＸ（Ｈ）、９２ＸＸ（Ｈ）および９３ＸＸ（Ｈ）で表される。「ＸＸ」には図柄番号が設定される。また、特別図柄の可変表示の停止を指示する演出制御コマンドは、コマンドＡ０００（Ｈ）とされる。
【０１０６】
可変表示装置９における始動入賞記憶数を表示する表示エリアにおいて、表示色を変化させる始動記憶表示エリア１８の個数を示す演出制御コマンドは、コマンドＥ０ＸＸ（Ｈ）とされる。例えば、演出制御手段は、各始動記憶表示エリア１８のうち「ＸＸ（Ｈ）」で指定される個数の始動記憶表示エリア１８の表示色を変化させる。すなわち、コマンドＥ０ＸＸ（Ｈ）は、保留個数という情報を報知するために設けられている表示エリアの制御を指示するコマンドである。なお、表示色を変化させる始動記憶表示エリア１８の個数に関するコマンドが、表示色を変化させるエリアの個数の増減を示すように構成されていてもよい。また、この実施の形態では、始動入賞記憶の上限値は４であるから、「ＸＸ」は０〜４のいずれかである。
【０１０７】
演出制御基板８０の演出制御手段は、主基板３１の遊技制御手段から演出制御コマンドを受信すると、その演出制御コマンドに応じて可変表示装置９および普通図柄表示器１０の表示状態を変更するとともに、ランプ・ＬＥＤの表示状態を変更し、必要ならば音声出力基板７０に対して音番号データを出力する。なお、上述した制御コマンド以外の制御コマンドも遊技制御手段から演出制御手段に送信される。例えば、賞球ランプ５１や球切れランプ５２の表示状態、および普通図柄始動記憶表示器４１の点灯個数を示す制御コマンド等や、大当り遊技に関するより詳細な演出制御コマンドも遊技制御手段から演出制御手段に送信される。
【０１０８】
可変表示の開始を示す可変表示開始指定コマンドおよび可変表示態様を特定可能な可変表示態様指定コマンドは、変動パターン指定の演出制御コマンドで実現され、識別情報の表示結果を特定可能な識別情報指定コマンドは、左図柄指定、中図柄指定、右図柄指定の演出制御コマンドで実現され、可変表示の終了を示す可変表示終了指定コマンドは、特別図柄停止の演出制御コマンドで実現されている。また、この実施の形態では、変動パターン指定の演出制御コマンドが可変表示の開始を示す可変表示開始指定コマンドおよび可変表示態様を特定可能な可変表示態様指定コマンドとして兼用されているが、可変表示開始指定コマンドと可変表示態様を特定可能な可変表示態様指定コマンドとを別にしてもよい。
【０１０９】
次に、演出制御手段の動作を説明する。まず、演出制御用ＣＰＵ１０１が実行するメイン処理について説明する。メイン処理では、ＲＡＭ領域のクリアや各種初期値の設定、また演出制御の起動間隔を決めるための２ｍｓタイマの初期設定等を行うための初期化処理が行われる。その後、演出制御用ＣＰＵ１０１は、タイマ割込フラグの監視の確認を行うループ処理に移行する。タイマ割込が発生すると、演出制御用ＣＰＵ１０１は、タイマ割込処理においてタイマ割込フラグをセットする。メイン処理において、タイマ割込フラグがセットされていたら、演出制御用ＣＰＵ１０１は、そのフラグをクリアし、以下の演出制御処理を実行する。
【０１１０】
この実施の形態では、タイマ割込は２ｍｓ毎にかかる。すなわち、演出制御処理は、２ｍｓ毎に起動される。また、この実施の形態では、タイマ割込処理ではフラグセットのみがなされ、具体的な演出制御処理はメイン処理において実行されるが、タイマ割込処理で演出制御処理を実行してもよい。
【０１１１】
演出制御処理において、演出制御用ＣＰＵ１０１は、まず、受信した演出制御コマンドを解析する（コマンド解析実行処理）。コマンド解析処理では、演出制御用ＣＰＵ１０１は、コマンド受信バッファに格納されている演出制御コマンドの内容を確認し、受信コマンドに対応するフラグのセットなどの処理を行う。例えば、受信コマンドが変動パターンコマンドである場合には、変動パターンコマンド受信フラグをセットするとともに、演出制御コマンド（８０ＸＸ（Ｈ））の「ＸＸ」で示されるＥＸＴデータを保存しておく処理を行う。また、その他の演出制御コマンドが特別図柄左指定の演出制御コマンドである場合には、演出制御コマンド（９１ＸＸ（Ｈ））の「ＸＸ」で示される左、中、右図柄を示すデータを、ＲＡＭにおける左、中、右図柄格納領域にそれぞれ格納する処理を行う。次いで、演出制御用ＣＰＵ１０１は、演出制御プロセス処理を行う。演出制御プロセス処理では、制御状態に応じた各プロセスのうち、現在の制御状態に対応したプロセスを選択して実行する。その後、タイマ割込フラグの確認を行う処理に戻る。
【０１１２】
次に、主基板３１からの演出制御コマンド受信処理について説明する。主基板３１から受信した演出制御コマンドは、コマンド受信バッファに格納される。この例では、２バイト構成の演出制御コマンドを６個格納可能なリングバッファ形式のコマンド受信バッファが用いられる。従って、コマンド受信バッファは、受信コマンドバッファ１〜１２の１２バイトの領域で構成される。そして、受信したコマンドをどの領域に格納するのかを示すコマンド受信個数カウンタが用いられる。コマンド受信個数カウンタは、０〜１１の値をとる。なお、必ずしもリングバッファ形式でなくてもよく、例えば、図柄指定コマンド格納領域を３個（２×３＝６バイトのコマンド受信バッファ）、それ以外の変動パターン指定などのコマンド格納領域を１個（２×１＝２バイトのコマンド受信バッファ）のようなバッファ構成としてもよい。
【０１１３】
主基板３１からの演出制御用のＩＮＴ信号は演出制御用ＣＰＵ１０１の割込端子に入力されている。例えば、主基板３１からのＩＮＴ信号がオン状態になると、演出制御用ＣＰＵ１０１において割込がかかる。そして、演出制御用ＣＰＵ１０１は、割込処理において演出制御コマンドの受信処理を実行する。演出制御コマンドの受信処理において、演出制御用ＣＰＵ１０１は、受信した演出制御コマンドデータを、コマンド受信個数カウンタが示す受信コマンドバッファに格納する。
【０１１４】
次に、変動パターンテーブル毎に設定されているプロセスデータについて説明する。プロセスデータは、プロセスタイマ設定値と演出制御実行データの組み合わせが複数集まったデータで構成されている。演出制御実行データは、表示制御実行データとランプ制御実行データとを含む。表示制御実行データは、特別図柄の変動期間中における可変表示装置９の表示状態を示すデータが設定されている。例えば、表示制御実行データ１には、可変表示開始時の可変表示装置９の表示状態を示すデータが設定されている。また、ランプ制御実行データは、特別図柄の変動期間中におけるランプ・ＬＥＤの表示状態を示すデータが設定されている。例えば、ランプ制御実行データ１には、可変表示開始時のランプ・ＬＥＤの表示状態を示すデータが設定されている。そして、特別図柄の変動期間中において、表示状態を切り替えるタイミング（例えば可変表示装置９において新たなキャラクタが登場するタイミング、ランプ・ＬＥＤを点灯状態から消灯状態に切り替えるタイミング）が到来すると、演出制御手段は、プロセスデータにおける次の演出制御実行データに従って、可変表示装置９およびランプ・ＬＥＤの表示状態を制御する。プロセスタイマ設定値には、切替のタイミングに応じた時間が設定されている。
【０１１５】
この例では、演出制御手段が、ＲＯＭ１０２に記憶されているプログラムおよびプロセスデータにもとづいて演出手段を制御する。また、複数の演出手段（この実施の形態では可変表示装置９およびランプ・ＬＥＤ）の制御に関わるプログラムは、演出制御基板８０に搭載されているＲＯＭ１０２に格納されている。
【０１１６】
本例で使用されるプロセスデータは、演出制御基板８０におけるＲＯＭ１０２に格納されている。また、プロセスデータは、各変動パターンのそれぞれに応じて用意されている。また、各変動パターンは予告演出の種類に応じて用意されている。従って、演出制御用ＣＰＵ１０１は、変動パターンに応じて使用するプロセスデータを選択し、選択したプロセスデータに従って演出を実行することで予告演出を行うことができる。
【０１１７】
図８は、演出実行処理の一例を示すフローチャートである。演出実行処理は、メイン処理における演出制御プロセス処理に含まれる複数の処理の一部をまとめて示すものである。
【０１１８】
演出実行処理において、演出制御用ＣＰＵ１０１（演出実行処理部１０１ａ）は、変動時間を特定可能な演出制御コマンド（変動パターンコマンド）を受信したか否か確認する（ステップＳ８０１）。具体的には、変動パターンコマンドが受信されたことを示すフラグ（変動パターン受信フラグ）がセットされたか否か確認する。変動パターン受信フラグは、コマンド解析処理によって、変動パターン指定の演出制御コマンドが受信されたことが確認された場合にセットされる。
【０１１９】
変動パターンコマンドを受信していれば、演出制御用ＣＰＵ１０１は、特別図柄の可変表示の変動パターンに応じたプロセスデータを選択し（ステップＳ８０２）、変動パターンコマンドにもとづいて選択したプロセスデータにもとづく演出制御を実行する（ステップＳ８０３）。ステップＳ８０３では、左中右図柄の変動を開始し、変動パターンを構成する各変動状態（変動速度）の切替タイミングを制御するとともに、変動時間の終了を監視する処理が実行される。また、ステップＳ８０３では、左右図柄の停止制御が行われる。なお、特別図柄の可変表示に伴って連続予告演出が実行される場合には、選択されたプロセスデータにもとづいて予告演出が実行される。この予告演出は、例えば、後述する図９に示すようにキャラクタを出現させたり、背景色を変化させたりすることで行われる。
【０１２０】
そして、使用するプロセスデータにより定まる変動時間の終了時に、全図柄停止を指示する演出制御コマンド（特別図柄停止の演出制御コマンド）を受信していたら、演出制御用ＣＰＵ１０１は、図柄の変動を停止し、記憶されている停止図柄（確定図柄）を表示する制御を行う（ステップＳ８０４）。
【０１２１】
図９は、遊技機に設けられている可変表示装置９を用いて実行される連続予告（保留予告：始動入賞発生時に実行される大当りとするか否かの抽選の結果にもとづいて、以後の複数回の特別図柄の可変表示において始動入賞記憶数を上限として連続的に実行される予告演出、但し、複数回の可変表示において連続的でなく間欠的であってもよい）の演出の例を示す説明図である。図９（Ａ）〜（Ｄ）に例示するように、この実施の形態では、可変表示装置９において、背景（図柄表示エリア以外の部分）に現れるキャラクタ等の表示による４種類の連続予告の演出（［表示態様Ａ］，［表示態様Ｂ］，［表示態様Ｃ］，［表示態様Ｄ］）を行うことが可能である。すなわち、図９（Ａ）〜（Ｄ）に示す連続予告演出は、演出手段としての可変表示装置９を用いた連続予告の演出態様である。
【０１２２】
なお、図９に示す連続予告の演出の例は一例であって、より多くの種類の連続予告の演出を行うようにしてもよい。また、他の演出手段（例えば、遊技状態報知用のランプ・ＬＥＤ（この実施の形態では天枠ランプ２８ａ、左枠ランプ２８ｂおよび右枠ランプ２８ｃ）などの発光体、スピーカ２７）を用いて連続予告の演出を行うようにしてもよい。
【０１２３】
以上説明したように、連続予告演出を開始したあと終了する前に始動入賞があったときに当該連続予告演出における特別図柄の可変表示の実行回数を増加させるための制御を実行し、実行回数を増加させたことによりその連続予告演出の予告対象となる特別図柄の可変表示の表示結果が大当りとなることとなったときには、その後に始動入賞が発生したときに実行回数を増加させるための制御の実行を禁止する構成としたので、複数回の可変表示に亘る連続予告演出を実行する場合に、その連続予告演出の実行回数を増加させることができ、演出効果を高めることができるとともに、実行回数を増加させる必要性が低い演出状態（例えば、増加分の可変表示では予告演出が実行されないことになる状態）であるときには実行回数を増加させるための制御を禁止することができ、連続予告演出の実行中の制御負担を軽減させることができるようになる。すなわち、連続予告演出の実行中に当該連続予告演出における可変表示の実行回数を増加させる機能を、制御負担を増大させることなく遊技機に備えることができる。
【０１２４】
また、上述したように、新たに開始された連続予告演出の予告対象となる特別図柄の可変表示の表示結果が大当りとなるときには、始動入賞が発生したときであっても、複数回の可変表示に亘る連続予告演出を実行する場合に、その連続予告演出の実行回数を増加させるための制御を禁止する構成としたので、実行回数を増加させる必要性が低い演出状態であるときには実行回数を増加させるための制御を禁止することができ、連続予告演出の実行中の制御負担を軽減させることができるようになる。
【０１２５】
また、上述したように、連続予告演出の実行回数を増加するときは、その増加の起因となった始動入賞に応じた保留記憶が何番目の保留記憶であったかに応じて増加する回数を決定する構成としているので、増加後の実行回数と保留記憶数との整合をとることができる。
【０１２６】
また、上述したように、連続予告演出が開始したあと完了する前に、大当りが発生したときには、連続予告演出の実行回数が残っていても、強制的に連続予告演出を終了させる構成としているので、予告演出の実行時期と遊技状態との整合をとることができる。
【０１２７】
また、上述したように、実行条件成立時判定処理（本例では予告設定処理）にて大当り判定処理を呼び出すとき（ステップＳ２１１の前）に遊技状態を示すパラメータとして保留遊技状態情報（対象となる可変表示の開始時の遊技状態を示す情報）を設定するとともに、開始条件成立時判定処理（本例では変動開始時処理）にて大当り判定処理を呼び出すとき（ステップＳ５６の前）に遊技状態を示すパラメータとして現在遊技状態情報（現在の遊技状態を示す情報）を設定するように構成されているので、大当り判定処理のプログラム容量を削減することができるとともに、遊技状態に応じた的確な判定を行うことができるようになる。すなわち、遊技状態を判定するための処理を大当り判定処理内に組み込む必要がないため、大当り判定処理のプログラム容量を削減することができる。また、大当り判定に用いる遊技状態を示すパラメータは別途与えられるので、遊技状態に応じた適切は判定を行うことができる。
【０１２８】
なお、上記の実施の形態では、保留記憶中に大当り判定値に合致する大当り判定用乱数値があった場合には、大当り判定値に合致するか否かの判定を未だ行っていない他の大当り判定用乱数値が保留記憶中に存在していたとしても、大当り判定値に合致するか否かの判定処理を終了するように構成されているので、判定処理の制御を簡素化することができ、保留記憶中の大当り判定用乱数値が大当り判定値に合致するか否かの判定処理の制御負担を軽減させることができる。
【０１２９】
なお、保留記憶中に大当り判定値に合致する大当り判定用乱数値があった場合であっても判定処理を継続し、全ての大当り判定用乱数値について判定するようにしてもよい。この場合、例えば、保留記憶中に大当り判定値に合致する大当り判定用乱数値があるとの判定を最初にしたときの検査回数カウンタのカウント値を保存しておくようにして、保存したカウント値が２以上であるか否かをステップＳ２１２において判定するようにすればよい。
【０１３０】
また、上記の実施の形態では、大当り判定値に合致する大当り判定用乱数値に関わる可変表示の開始条件が成立する順番が、保留中の可変表示のうちの何番目であるのかを検査回数カウンタを用いて特定し、検査回数カウンタによって特定された数と同数の実行回数を設定し、その実行回数分の各可変表示において、複数回の可変表示に亘る所定の予告演出を実行するように構成されているので、予告演出の実行回数を適正な回数とすることができる。すなわち、連続予告演出の途中で大当りが発生してしまうようなことが確実に回避されるとともに、連続予告演出による最後の予告演出が出現する可変表示において大当りを発生させることが確実に可能となる。
【０１３１】
さらに、上記の実施の形態では、保留記憶中の大当り判定用乱数値が大当り判定値に合致するか否かの判定処理（ステップＳ２１１）と、実行回数を増やすか否か判定するための判定処理（ステップＳ２０４）と、可変表示の開始条件が成立したときに今回の可変表示結果を判定するための判定処理（ステップＳ５６）とで、共通の大当り判定モジュールを使用する構成とされているので、遊技機で用いられる制御プログラムを簡略化させることができ、制御プログラムの容量を低減させることができる。
【０１３２】
なお、上記の実施の形態では、遊技制御手段は、可変表示の実行条件が成立したとき（始動入賞が発生したとき）に、保留記憶の記憶内容にもとづいて今後実行されていることが決定されている可変表示の中に大当りとなるものが含まれているかを確認して連続予告演出を実行するか否か決定したが、可変表示を開始することができるタイミングになったときに連続予告演出を実行するか否か決定するようにしてもよい。
【０１３３】
また、上記の各実施の形態では、可変表示装置９による連続予告の演出をキャラクタによって行ったが、予告演出はどのような形態のものであってもよく、例えば、すべり演出（低速変動状態において数図柄分高速変動させる演出）や、もどり演出（図柄の停止位置を通り過ぎたあと逆向きに変動させる演出）などのような特別図柄の変動態様を変化させることで予告演出を行うようにしてもよい。また、背景を変化させることによって予告演出を行うようにしてもよい。また、キャラクタによる予告演出と、その他の可変表示装置９による予告演出とをともに実行するようにしてもよい。
【０１３４】
また、上記の各実施の形態では、始動入賞記憶数を最大４個であるとしていたが、３個以下あるいは５個以上とされていてもよい。さらに、あらかじめ定められた所定条件の成立によって、始動入賞記憶数の上限が変化するように構成されていてもよい。具体的には、例えば、通常時は最大４個であるが、大当りが発生した場合には、大当り遊技状態が終了するまで、最大１５個となるようにすることが考えられる。
【０１３５】
また、上記の各実施の形態では、始動入賞が発生したときに、保留記憶領域に抽出した乱数値を格納する構成としていたが、乱数の抽出値にもとづく判定結果（例えば、大当り、リーチ、はずれなど）を保留記憶領域に格納する構成としてもよい。
【０１３６】
また、上記の各実施の形態では、始動記憶表示エリア１８の個数と始動入賞記憶数の最大値とが一致していたが、始動記憶表示エリア１８の個数を始動入賞記憶数の最大値よりも少ない数だけ備える構成としてもよい。この場合、始動記憶表示エリア１８の個数以上の始動入賞記憶数がある場合には、全ての始動記憶表示エリアにて保留中の表示を行うようにすればよい。具体的には、始動記憶表示エリア１８を１０個備え、始動入賞記憶数の最大値が５０個である場合には、１０個以上の保留がある場合には、１０個の始動記憶表示エリア１８で保留中の表示がなされる。
【０１３７】
なお、上述した実施の形態では、連続予告演出の予告対象が大当りとなる場合には、ステップＳ２０３の判定処理によって、連続予告演出における可変表示の実行回数を増加させるための処理（ステップＳ２０４以降の処理）を実行しない構成としていたが、連続予告演出の予告対象が大当りとなる場合には、ステップＳ２０３の判定処理を行うことなく、連続予告演出における可変表示の実行回数を増加させるための処理を実行し、その連続予告演出における可変表示の実行回数を増加させるための処理にて増加回数が０回と決定されるように構成してもよい。
すなわち、以下のような遊技機であってもよい。各々を識別可能な複数種類の識別情報を可変表示可能な可変表示手段を備え、あらかじめ定められている可変表示の実行条件が成立した後、可変表示の開始条件の成立にもとづいて前記可変表示の実行条件が成立した順番に従って複数種類の識別情報の可変表示を開始し、当該複数種類の識別情報の可変表示の表示結果が特定表示結果となったときに遊技者にとって有利な特定遊技状態に制御可能となる遊技機であって、所定の数値範囲内で数値データを更新する数値データ更新手段と、前記実行条件の成立時に、前記数値データ更新手段から数値データを抽出する数値データ抽出手段と、前記実行条件が成立した後、未だ前記開始条件の成立していない実行条件の成立時に抽出された数値データを記憶順番を特定可能に記憶する保留記憶手段と、前記実行条件が成立したときに、当該実行条件の成立時に抽出された数値データが所定の判定値データと一致するか否かを判定する事前判定処理を実行する事前判定手段と、前記事前判定手段の判定結果にもとづいて、一致すると判定された数値データが抽出される起因となった実行条件にもとづく可変表示の表示結果が導出表示される前に所定の予告演出を実行するか否かを決定する予告決定手段と、前記予告決定手段により所定の予告演出を実行することが決定されたときに、前記所定の予告演出の実行回数を決定する実行回数決定手段と、前記実行回数決定手段が決定した実行回数分の可変表示において所定の予告演出を実行する予告演出実行手段とを備え、前記実行回数決定手段は、所定の予告演出が実行される可変表示の表示結果が導出表示される前に新たに実行条件が成立したときに、当該実行条件の成立時に抽出された数値データが所定の判定値データと一致するか否かを判定する予告判定処理を実行する予告時判定手段と、当該予告時判定手段の判定結果にもとづいて実行回数を増加するか否かを決定する決定処理を実行する決定手段と、当該決定手段によって増加すると決定されたときに前記実行回数の残り回数を増加させる増加制御を実行する回数増加手段と、前記回数増加手段が前記増加制御を実行する起因となった実行条件の成立時に抽出された数値データが、所定の判定値データと一致する数値データであったときには、当該数値データが抽出される起因となった実行条件以降の前記決定処理にて実行回数を０回増加すると決定させる増加決定禁止手段とを含むことを特徴とする遊技機。
【０１３８】
また、上述した実施の形態では特に言及していないが、演出制御基板８０は、例えば図１０に示す構成とされる。図１０（Ａ）は、演出制御基板８０を上方から見た上面図である。図１０（Ｂ）は、図１０（Ａ）の演出制御基板８０を右側から見た側面図である。なお、図１０には、ＲＯＭ１０２を構成する３つのＲＯＭ１０２ａ，１０２ｂ，１０２ｃと、ＲＯＭ１０２ａ，１０２ｂ，１０２ｃが搭載されたＲＯＭ基板８１とが示されている。図１０（Ｂ）に示すように、ＲＯＭ基板８１が備えるコネクタ８２と、演出制御基板８０が備えるコネクタ８３とが接続されて、演出制御基板８０にＲＯＭ基板８１が搭載される。すなわち、本例では、演出制御基板８０と、ＲＯＭ基板８１とが２階建て構造で接続される。
【０１３９】
なお、演出制御基板８０が、図１１に示す構成とされていてもよい。図１１（Ａ）は、演出制御基板８０を上方から見た上面図である。図１１（Ｂ）は、図１１（Ａ）の演出制御基板８０を右側から見た側面図である。なお、図１１には、ＲＯＭ１０２を構成する３つのＲＯＭ１０２ａ，１０２ｂ，１０２ｃと、ＲＯＭ１０２ａ，１０２ｂ，１０２ｃが搭載されたＲＯＭ基板８１とが示されている。図１１（Ｂ）に示すように、ＲＯＭ基板８１が備える２つのコネクタ８２ａ，８２ｂと、演出制御基板８０が備える２つのコネクタ８３ａ，８３ｂとが接続されて、演出制御基板８０にＲＯＭ基板８１が搭載される。すなわち、本例では、演出制御基板８０と、ＲＯＭ基板８１とが２つのコネクタによって２階建て構造で接続される。上記のように２つの接続部分を設ける構成とすれば、ＲＯＭ基板８１を安定した状態で搭載することができる。なお、接続部分を３つ以上設けるようにしてもよい。
【０１４０】
なお、上記の各実施の形態のパチンコ遊技機１は、始動入賞にもとづいて可変表示装置９に可変表示される特別図柄の停止図柄が所定の図柄の組み合わせになると所定の遊技価値が遊技者に付与可能になる第１種パチンコ遊技機であり、かつ、プリペイドカードによって球貸しを行うカードリーダ（ＣＲ：Ｃａｒｄ  Ｒｅａｄｅｒ  ）式の第１種パチンコ遊技機であったが、プリペイドカードによって球貸しを行うＣＲ式パチンコ遊技機だけでなく、現金によって球貸しを行うパチンコ遊技機にも適用可能である。さらに、始動入賞にもとづいて開放する電動役物の所定領域への入賞があると所定の遊技価値が遊技者に付与可能になる第２種パチンコ遊技機や、始動入賞にもとづいて可変表示される図柄の停止図柄が所定の図柄の組み合わせになると開放する所定の電動役物への入賞があると所定の権利が発生または継続する第３種パチンコ遊技機であっても、本発明を適用できる。
【０１４１】
また、上記の各実施の形態において、「特別遊技状態」とは、大当りとなりやすい遊技者にとって有利な状態を意味する。具体的には、「特別遊技状態」は、例えば、特別図柄が大当り図柄で揃う確率が高確率状態とされる確変状態、単位時間あたりの普通図柄の変動回数が高められる時短状態、可変入賞球装置１５の開成期間や開成回数が高められる開放延長状態などの大当りとなる確率が高められている高確率状態である。なお、時短状態は、可変入賞球装置１５の開放回数が高められていることから単位時間あたりの入賞回数が増加し、単位時間あたりの特別図柄の可変表示回数が高められるので、大当りとなる確率が高められている状態といえる。また、同様に、開放延長状態は、可変入賞球装置１５の開成期間や開成回数が高められていることから単位時間あたりの入賞回数が増加し、単位時間あたりの特別図柄の可変表示回数が高められるので、大当りとなる確率が高められている状態といえる。
【０１４２】
【発明の効果】
以上のように、請求項１記載の発明では、複数回の可変表示に亘る連続予告演出を実行する場合に、連続予告演出の実行中の制御負担を増大させることなく、当該連続予告演出における実行回数を増加させることができるという効果を有する。
【０１４３】
請求項２記載の発明では、演出効果を低下させることなく、連続予告演出の実行中の制御負担を軽減させることができる。
【０１４４】
請求項３記載の発明では、増加後の実行回数と保留記憶数との整合をとることができる。
【０１４５】
請求項４記載の発明では、予告演出の実行時期と遊技状態との整合をとることができる。
【０１４６】
請求項５記載の発明では、数値が所定の判定値と一致するか否かの判定処理を共通のサブルーチンプログラムとして複数の処理で呼び出して使用することができ、プログラム容量を削減することができる。
【０１４７】
請求項６記載の発明では、数値が所定の判定値と一致するか否かの判定処理を共通のサブルーチンプログラムとして複数の処理で呼び出して使用することができ、プログラム容量を削減することができる。
【図面の簡単な説明】
【図１】パチンコ遊技機を正面からみた正面図である。
【図２】遊技制御基板（主基板）および演出制御基板の回路構成例を示すブロック図である。
【図３】特別図柄プロセス処理を示すフローチャートである。
【図４】予告設定処理を示すフローチャートである。
【図５】予告設定処理を示すフローチャートである。
【図６】変動開始時処理を示すフローチャートである。
【図７】大当り判定モジュールを示すフローチャートである。
【図８】演出実行処理を示すフローチャートである。
【図９】連続予告演出の例を示す説明図である。
【図１０】演出制御基板の構成を示す上面図および側面図である。
【図１１】演出制御基板の他の構成を示す上面図および側面図である。
【符号の説明】
１      パチンコ遊技機
９      可変表示装置
１８    始動記憶表示エリア
３１    主基板
５６    ＣＰＵ
８０    演出制御基板
１０１  演出制御用ＣＰＵ
【図１】
2004350851.tif 000003
【図２】
2004350851.tif 000004
【図３】
2004350851.tif 000005
【図４】
2004350851.tif 000006
【図５】
2004350851.tif 000007
【図６】
2004350851.tif 000008
【図７】
2004350851.tif 000009
【図８】
2004350851.tif 000010
【図９】
2004350851.tif 000011
【図１０】
2004350851.tif 000012
【図１１】
2004350851.tif 000013